(57)【要約】【課題】限られた設置スペースに設置可能で貯湯タンク内の湯の押し出し性や水やぬるま湯の沸き上げ性に優れた貯湯式電気温水器を提供する。【解決手段】貯湯タンク１０と、貯湯タンクの所定位置に備わった入水部１１と、入水部とは異なる位置に備わった出湯部１２と、貯湯タンク内の入水部近傍から出湯部近傍に亘って複数の流路を形成するように設けられた仕切り構造体２０とを有し、貯湯式電気温水器が設置された状態で貯湯タンクの上下方向の高さより横方向の長さが長くなるように当該貯湯タンクが配置され、入水部から貯湯タンク内に入った水の流れを重力の作用方向で見て仕切り構造体の上部に誘導して衝突させる入水誘導機構１３を当該貯湯タンク内に設けている。【選択図】図１
2008121945.tif 000002
【特許請求の範囲】
【請求項１】
貯湯タンクと、前記貯湯タンクの所定位置に備わった入水部と、前記貯湯タンクの前記入水部とは異なる位置に備わった出湯部と、前記貯湯タンク内の入水部近傍から出湯部近傍に亘って複数の流路を形成するように設けられた仕切り構造体とを有した貯湯式電気温水器であって、前記貯湯式電気温水器が設置された状態で前記貯湯タンクの上下方向の高さより横方向の長さが長くなるように当該貯湯タンクが配置された貯湯式電気温水器において、
前記入水部から前記貯湯タンク内に入った水の流れを重力の作用方向で見て前記仕切り構造体の上部に誘導して衝突させる入水誘導機構を当該貯湯タンク内に設けたことを特徴とする貯湯式電気温水器。
【請求項２】
前記入水誘導機構の水流出部下端又は当該下端を含む当該入水誘導機構による水の誘導方向延長線と前記仕切り構造体の入水部側端面との交点が、当該仕切り構造体によって形成された各流路のうち、重力の作用方向で見て最上部の流路の下端と一致するかこれよりも上に位置することを特徴とする、請求項１に記載の貯湯式電気温水器。
【請求項３】
前記貯湯式電気温水器を設置した状態で前記入水部が貯湯タンクの外壁部の高さ方向で見て半分より上側にあることを特徴とする、請求項１又は請求項２に記載の貯湯式電気温水器。
【請求項４】
前記仕切り構造体が、当該仕切り構造体内の各流路間に隙間を生じさせないハニカム体形状を有することを特徴とする、請求項１乃至請求項３の何れかに記載の貯湯式電気温水器。
【請求項５】
前記仕切り構造体が、それぞれが流路を形成しかつ少なくとも一部の流路間が離間するように並設された複数のパイプ体からなることを特徴とする、請求項１乃至請求項３の何れかに記載の貯湯式電気温水器。
【請求項６】
前記仕切り構造体の少なくとも何れか一つの流路の少なくとも一部に切り欠きが設けられ、当該切り欠きを介して前記仕切り構造体の当該切欠きを挟んだ隣接する少なくとも２つの流路が互いに連通していることを特徴とする、請求項１乃至請求項５の何れかに記載の貯湯式電気温水器。
【発明の詳細な説明】
【技術分野】
【０００１】
本発明は、設置された状態で貯湯タンクの上下方向の高さより横方向の長さが長くなるように貯湯タンクが配置され、限られた設置スペースに設置可能となった貯湯式電気温水器に関する。
【背景技術】
【０００２】
従来から建物の壁などに縦長の状態で設置され、貯湯タンクの下部から水を入れて上部から沸き上がった湯を出す貯湯式電気温水器が広く用いられてきた。設置状態で貯湯タンクがこのように縦長となった理由は、貯湯タンクの下部から入った水が温められると湯と水の密度差により湯が自然に上昇する作用を利用して湯の押出し性、即ち高温の湯を安定して押し出す性能を高めているためである。そして、近年、例えばトイレルーム内などの手洗い用の蛇口に温水を供給するために、トイレルーム内に電気温水器が直接設置されることが多くなっている。
【０００３】
トイレルームへの貯湯式電気温水器の設置に際して、トイレルーム内のインテリア性としての美観や統一感を損なわないために、貯湯式電気温水器自体を従来のように壁面に縦長の状態で直接設置する代わりに、例えば図１６に点線で示すように洗面器カウンタやキャビネットの裏面でトイレルーム内から目に付かない場所に貯湯タンク５０を寝かせた状態で設置されることが望まれている。
【０００４】
このような貯湯式電気温水器はいわゆる横置き式電気温水器と呼ばれ、貯湯式電気温水器が設置された状態で貯湯タンクの上下方向の高さより横方向の長さが長くなるように貯湯タンクが配置された貯湯式電気温水器である。
【０００５】
なお、かかる貯湯タンク５０を寝かせた状態で設置する態様は、例えばキッチンカウンタの下面やキッチンキャビネットのケコミ部などに貯湯式電気温水器を設置する場合にも適用でき、これによってキッチンルームの壁面に貯湯式電気温水器を設置しなくて済み、キッチンルームの美観やインテリア性を向上できるので、このような設置形態は広く望まれている。
【０００６】
このような寝かせた状態で設置される貯湯式電気温水器の場合、これをカウンタ下面などの狭いスペースに設置するためには、貯湯タンク５０をかなり扁平の薄型形状にする必要がある。しかしながら、上下方向の高さを低くして扁平にした横長の貯湯タンク５０を有する貯湯式電気温水器の場合、貯湯量一定で単純に高さを低くすると、設置状態で貯湯タンク５０が水平方向に広くなるため、湯と水が接する面が広くなって湯と水が混合し易くなる。そこで、このような薄型の貯湯タンクを備えた寝かせ置き式の貯湯式電気温水器の押し出し性を改善した特別な構成も考えられている（例えば、特許文献１参照）。
【０００７】
かかる特許文献１に記載の貯湯式電気温水器は、図１７に示すように、貯湯タンク５０の内部に細長い隙間を有するハニカム体５１を設け、貯湯タンク内の各流路断面積を小さくすることで、給水時に水が湯と混ざらずに湯を高温のまま出湯部側に押し出すようにしている。
【特許文献１】特開平７−１２４０５号公報（図１）
【発明の開示】
【発明が解決しようとする課題】
【０００８】
図１７に示す従来型の貯湯式電気温水器の場合、貯湯タンク５０の内部に細長い細管を有するハニカム体５１を設け、このハニカム体５１によって構成される各流路の流路断面積を縮小すると共に、貯湯タンク５０の入水部５２とハニカム体５１の入口側開口部５１ａとの間に空間Ｘを設け、入水部５２から入った水をこの空間Ｘを介してハニカム体５１の各流路に均等に分配することで、給水時に入水部５２から入水した水をハニカム体５１の重力の作用方向で見て入口側上下方向に拡散させてハニカム体内に流入させ、水が湯と混ざらずに湯を高温のまま貯湯タンク５０の出湯部５３に押し出すようにしている。そして、ハニカム体で構成される各流路をこのような細管とせずに、図１８に示すような流路断面積の大きい流路として構造の単純化と流路内の水や湯の流路抵抗の低下を図ることも考えられている。
【０００９】
後者の構造を有する貯湯式電気温水器の場合、実際には入水部から入った水は湯との密度差によって入水直後に入水部とハニカム体の流路入口側との間の空間Ｘにおいてすぐに下に落ち込んでしまう。（図１８の空間Ｘ内の下方に向かう水の流れを示す矢印Ｐ参照）。そして、この空間Ｘの下側に落ち込んだ水は、ハニカム体６０の太い流路６１にそのまま抵抗なく流入していく。その結果、ハニカム体６０の各流路６１において下側流路内の水が上側流路内の水よりも流路内を先行してしまい、ハニカム体６０の各流路内の平均流速差が大きくなってしまう（図１８のハニカム体６０の各流路６１を進む水の流れを示す矢印Ｑ参照）。
【００１０】
そのため、このような空間Ｘにおける水の落ち込みに抗してハニカム体内の流路を流れる水の平均流速差をできるだけ小さくするために、図１７に示す上述の従来例のように目の細かいハニカム体５１で貯湯タンク内の全体流路を構成すると、容積の大きな嵩張るハニカム体５１を貯湯タンク内に収容しなければならず、貯湯タンク内の容積の多くをハニカム体５１が占めるようになり、貯湯タンク内の貯湯量が減ってしまい、湯を頻繁に沸き上げる必要が生じる。
【００１１】
本発明の目的は、限られた設置スペースに設置可能な横置き型の貯湯式電気温水器であって貯湯タンク内の湯の押し出し性や水やぬるま湯の沸き上げ性に優れた貯湯式電気温水器を提供することにある。
【課題を解決するための手段】
【００１２】
上述した課題を解決するために、本発明にかかる貯湯式電気温水器は、
貯湯タンクと、前記貯湯タンクの所定位置に備わった入水部と、前記貯湯タンクの前記入水部とは異なる位置に備わった出湯部と、前記貯湯タンク内の入水部近傍から出湯部近傍に亘って複数の流路を形成するように設けられた仕切り構造体とを有した貯湯式電気温水器であって、前記貯湯式電気温水器が設置された状態で前記貯湯タンクの上下方向の高さより横方向の長さが長くなるように当該貯湯タンクが配置された貯湯式電気温水器において、
前記入水部から前記貯湯タンク内に入った水の流れを重力の作用方向で見て前記仕切り構造体の上部に誘導して衝突させる入水誘導機構を当該貯湯タンク内に設けたことを特徴としている。
【００１３】
入水部から貯湯タンクに入った水の流れを入水誘導機構によって仕切り構造体の上部に誘導して衝突させるようになっているので、従来のように貯湯タンク内に入った水がその直後に湯と水の密度差によって重力の作用を受けて貯湯タンク下方に落ち込んでそのまま下側の仕切り構造体に流入するのを防止する。即ち、入水部から貯湯タンク内に入った水が、湯と水の密度差による下方への落下と入水誘導機構による上方への流出とのバランスがとれて仕切り構造体の各流路に流入する水の平均流速差が小さくなり、これによって仕切り構造体の各流路内の湯がほぼ等速度で押し出され、貯湯タンクの湯の押し出し性が向上する。
【００１４】
なお、貯湯タンク内の湯の押し出し性向上のために仕切り構造体の入水部側に緩衝板を設ける構成も考えられるが、何の工夫も施されていない単なる緩衝板を設けただけでは入水部から貯湯タンクに入水した水の流速を下げるだけの作用しか生じず、これではただでさえ流入し難い仕切り構造体の上部流路への水の導入は到底期待できない。しかしながら、本発明のような入水誘導機構を備えることで、このような緩衝板を必要とせず単純な構成で入水部から貯湯タンクに入水した水を仕切り構造体の上側流路に積極的に導くことができ、貯湯タンクの湯の押し出し性を向上させる。
【００１５】
また、本発明の請求項２に記載の貯湯式電気温水器は、請求項１に記載の貯湯式電気温水器において、
前記入水誘導機構の水流出部下端又は当該下端を含む当該入水誘導機構による水の誘導方向延長線と前記仕切り構造体の入水部側端面との交点が、当該仕切り構造体によって形成された各流路のうち、重力の作用方向で見て最上部の流路の下端と一致するかこれよりも上に位置することを特徴としている。
【００１６】
入水誘導機構が貯湯タンクのこのような位置に設けられていることで、通常の貯湯式電気温水器では最も入水し難い仕切り構造体の最上部の流路を狙って入水部から貯湯タンクに入った水を確実に流入させる。これによって、仕切り構造体の各流路に流入する水の平均流速差が小さくなり、貯湯タンク内全体に亘ってほぼ等速度で湯を押し出すことができ、貯湯タンクの湯の押し出し性が更に向上する。
【００１７】
また、本発明の請求項３に記載の貯湯式電気温水器は、請求項１又は請求項２に記載の貯湯式電気温水器において、
前記貯湯式電気温水器を設置した状態で前記入水部が貯湯タンクの外壁部の高さ方向で見て半分より上側にあることを特徴としている。
【００１８】
貯湯タンクの外壁部の半分より上側に設けた入水部を介して水を貯湯タンク内に流入させることによって、通常では貯湯タンク内で湯と水の密度差によって重力の作用を受けてすぐに水が落ち込んで仕切り構造体の上側流路に水が入り難くなっていたのをこの上側流路に積極的に入水し易くし、結果的に仕切り構造体の各流路に流入する水の平均流速差が小さくなり、貯湯タンク内全体に亘ってほぼ等速度で湯を押し出すことができ、貯湯タンクの湯の押し出し性が更に向上する。
【００１９】
また、本発明の請求項４に記載の貯湯式電気温水器は、請求項１乃至請求項３の何れかに記載の貯湯式電気温水器において、
前記仕切り構造体が、当該仕切り構造体内の各流路間に隙間を生じさせないハニカム体形状を有することを特徴としている。
【００２０】
仕切り構造体がこのようなハニカム形状を有することで、仕切り構造体を押し出し成型により容易に作れると共に、貯湯タンク全体の組み立ても簡単に行うことができる。
【００２１】
また、本発明の請求項５に記載の貯湯式電気温水器は、請求項１乃至請求項３の何れかに記載の貯湯式電気温水器において、
前記仕切り構造体が、それぞれが流路を形成しかつ少なくとも一部の流路間が離間するように並設された複数のパイプ体からなることを特徴としている。
【００２２】
仕切り構造体がこのようなパイプ形状を有することで、仕切り構造体の材料が入手し易く部品コストを低減できる。
【００２３】
また、このように離間したパイプを用いることで、この隙間を介して貯湯タンク内で水や湯が対流し易く湯の沸き上げ性が良くなる。
【００２４】
また、本発明の請求項６に記載の貯湯式電気温水器は、請求項１乃至請求項５の何れかに記載の貯湯式電気温水器において、
前記仕切り構造体の少なくとも何れか一つの流路の少なくとも一部に切り欠きが設けられ、当該切り欠きを介して前記仕切り構造体の当該切欠きを挟んだ隣接する少なくとも２つの流路が互いに連通していることを特徴としている。
【００２５】
仕切り構造体で構成される各流路のうち、このような切欠きを有する少なくとも一部の流路間で上下方向の対流を生じさせることができ、ヒータを貯湯タンクに内蔵した貯湯式電気温水器における貯湯タンク内の水やぬるま湯の沸き上げ性を向上させる。
【発明の効果】
【００２６】
本発明によると、限られた設置スペースに設置可能な横置き型の貯湯式電気温水器であって貯湯タンク内の湯の押し出し性や水やぬるま湯の沸き上げ性に優れた貯湯式電気温水器を提供することができる。
【００２７】
より具体的には、入水部から貯湯タンクに入った水の流れを入水誘導機構によって仕切り構造体の上部に誘導して衝突させるようになっているので、従来のように貯湯タンク内に入った水がその直後に湯と水の密度差によって重力の作用を受けて貯湯タンク下方に落ち込んでそのまま下側の仕切り構造体に流入するのを防止する。即ち、入水部から貯湯タンク内に入った水が、湯と水の密度差による下方への落下と入水誘導機構による上方への流出とのバランスがとれて仕切り構造体の各流路に流入する水の平均流速差が小さくなり、これによって仕切り構造体の各流路内の湯がほぼ等速度で押し出され、貯湯タンクの湯の押し出し性が向上する。
【００２８】
なお、貯湯タンク内の湯の押し出し性向上のために仕切り構造体の入水部側に緩衝板を設ける構成も考えられるが、何の工夫も施されていない単なる緩衝板を設けただけでは入水部から貯湯タンクに入水した水の流速を下げるだけの作用しか生じず、これではただでさえ流入し難い仕切り構造体の上部流路への水の導入は到底期待できない。しかしながら、本発明のような入水誘導機構を備えることで、このような緩衝板を必要とせず単純な構成で入水部から貯湯タンクに入水した水を仕切り構造体の上側流路に積極的に導くことができ、貯湯タンクの湯の押し出し性を向上させる。
【発明を実施するための最良の形態】
【００２９】
以下、本発明の一実施形態にかかる貯湯式電気温水器について図１乃至図３に基づいて説明する。本発明の一実施形態にかかる貯湯式電気温水器１は、貯湯式電気温水器１が設置された状態で貯湯タンク１０の上下方向の高さより横方向の長さが長くなるように貯湯タンク１０が配置される（以下、これを単に「横置き式」とする）ようになっている。そして、貯湯式電気温水器１は、両端部が入水部１１と出湯部１２を除いて閉塞した略円筒体形状を有する貯湯タンク１０と、貯湯タンク１０の一方の端部に設けられ、貯湯タンク内の入水誘導管１３に連結した入水部１１と、貯湯タンク１０の他方の端部に設けられた出湯部１２と、貯湯タンク１０の内部に設けられ、貯湯タンク１０の設置状態で貯湯タンク内に収容され、タンク長手方向の入水部近傍から出湯部近傍に亘って所定の長さを有する押し出し管（仕切り構造体）２０と、貯湯タンク１０の内部に設けられたヒータ４０と、貯湯タンク１０の外側に設けられた図示しない温度センサを備えている。
【００３０】
押し出し管２０は、本実施形態の場合、互いに離間して配置された多数の円筒体２１〜２６からなり、各円筒体２１〜２６はその両端部近傍において支持体３１,３２を介して貯湯タンク内に収容されている。なお、押し出し管２０の各円筒体２１〜２６は、本実施形態ではそれぞれ等しい外径と内径を有している。
【００３１】
そして、押し出し管２０を構成する各円筒体２１〜２６、押し出し管２０の各円筒体同士の隙間や各円筒体２１〜２６と貯湯タンク内周面との隙間で構成される細長の空間のそれぞれが貯湯タンク内で仕切り構造体としての押し出し管２０に備わった独立した複数の流路を形成している。
【００３２】
また、貯湯タンク１０の入水部１１と押し出し管２０の入水部側端部との間には、入水部１１から入った水を貯湯タンク内の上下方向に一旦溜め込む空間Ａ（図１参照）が形成されている。
【００３３】
また、入水部１１に連設された入水誘導管１３が貯湯タンク内の空間Ａにおいて上向きに突出した状態で備わっている。この入水誘導管１３は、図１及び図３に示すように、入水部１１の貯湯タンク内開口部から突出して設けられ、入水部１１との接続部で折曲して空間Ａの上方に向かって突出している。そして、入水誘導管１３は、図３に示すように、その水流出開口部１３aが水平方向を向くように開口し、この水流出開口部１３aの下端１３ｂを含む入水誘導管１３による水の誘導方向、即ち入水誘導管１３の開口部１３ａから流出した水が重力の作用を受けない状態で向かう方向（図３中の破線Ｆ参照）の延長線と、押し出し管２０の入水部側端面との交点Ｇが、押し出し管２０によって形成された各流路を形成する各円筒体のうち、最上部に配置された円筒体２１の流路下端２１ｂと高さ方向で一致するかこれよりも上に位置するようになっている。
【００３４】
入水誘導管１３が貯湯タンク１０にこのように設けられていることで、後に詳細に説明するように通常の貯湯式電気温水器では最も入水し難い押し出し管２０の最上部の流路を狙って入水部１１から貯湯タンク１０に入った水を確実に流入させるようになっている。
【００３５】
また、押し出し管２０の出湯側端部は、貯湯タンク１０の出湯側端壁よりも若干引っ込むように貯湯タンク内に収容され、これによって押し出し管２０の出湯側端部（図１中右側端部）と貯湯タンク１０の出湯部側端壁の間にも一定の容積を有した空間Ｂ（図１参照）が形成されている。なお、空間Ａと空間Ｂとは、本実施形態のように貯湯タンク１０にヒータ４０が内蔵された貯湯式電気温水器の場合、貯湯タンク１０の入水部１１から水が入水した後に貯湯タンク内の水を沸き上げる際に沸き上げを効率的に行う対流用空間としての役目も果たしている。
【００３６】
そして、貯湯タンク１０は、ここでは図示しない筐体内に収容されている。筐体には、貯湯タンク１０の他に貯湯タンク１０の入水部１１又は出湯部１２とこれらに接続される配管との間に介在する図示しない開閉バルブと、ヒータ４０を駆動する図示しないヒータ駆動制御部が備わっている。
【００３７】
貯湯タンク１０は、ステンレス鋼（ＳＵＳ）などの金属でできているが、この代わりに耐熱性の樹脂でできていても良い。又、貯湯タンク内に収容された押し出し管２０もＳＵＳでできているが、これも耐熱性の樹脂でできていても良い。貯湯タンク１０や押し出し管２０を金属製とした場合、これらの耐熱性や耐圧性を高めることができる。一方、貯湯タンク１０や押し出し管２０を樹脂製とした場合、これらの成型コストを低減できる。
【００３８】
また、貯湯タンク内のヒータ４０は、押し出し管２０と同様の長さを有する棒状体からなり、内部にニクロム線等の発熱体を有すると共に、その外側が防水性に優れた絶縁体で完全に囲繞され、貯湯式電気温水器１の設置状態で貯湯タンク１０によって支持され、押し出し管２０の下部と貯湯タンク１０の底面とで挟まれた貯湯タンク１０の底部近傍（図１及び図２における下側部分）、即ち貯湯式電気温水器１の設置状態で押し出し管２０の下側に配置されるようになっている。
【００３９】
そして、押し出し管２０とヒータ４０が上述のように同様の長さを有することで、このようなヒータ４０で加熱することにより貯湯タンク内全体に亘って対流を生じさせることができ、仕切り構造体内外の水と湯の対流を最も効果的に生じさせ、貯湯タンク内で湯を均等に沸き上げることを可能としている。
【００４０】
また、ヒータ４０の長さをこのように長くすることで、単位表面積あたりの出力（ワット密度）を下げることによりヒータ表面での局所沸騰を抑制でき、ヒータ表面の腐食を防止することでヒータ４０の耐久性を向上させることができる。更に局所沸騰によって沸騰音が発生する可能性を低く抑えている。
【００４１】
なお、上述の実施形態のようにヒータ４０は貯湯タンク１０の長手方向全体に亘って延在していなくても良い。即ち、ヒータ長さを仕切り管２０より短くした状態で貯湯タンク内にヒータを設置しても良い。この場合、ヒータが撓み難くなり、貯湯式電気温水器の運搬中の耐振性を向上させることで貯湯式電気温水器の信頼性が向上する。
【００４２】
また、図示しない温度センサは、例えばバイメタルなどの感温素子でできており、貯湯式電気温水器１の設置状態で貯湯タンク１０の上部外側面に直接接触するように取り付けられ、貯湯タンク内の湯が一定の温度以下であることを検知したとき、ヒータ制御回路にこれを知らせ、ヒータ制御回路の制御によりヒータ４０を適宜加熱して本実施形態では貯湯タンク内の湯を約８５℃程度に保つようにしている。
【００４３】
なお、本実施形態における「沸き上げ」とは、貯湯タンク内の水や比較的温度の低い所謂ぬるま湯を加熱して貯湯タンク内の湯が全体的に約８５℃程度になるようにすることを言うが、貯湯式電気温水器の各種仕様に応じてこの沸き上げ温度は適宜変更されることは言うまでもない。
【００４４】
続いて、上述した構成を有する貯湯式電気温水器１の設置の仕方と貯湯式電気温水器１を実際に使用した場合の作用をより詳細に説明する。貯湯式電気温水器１を設置するに当って、この貯湯式電気温水器１を例えば図１６に示すトイレルームのカウンタの下部やキッチンのカウンタのケコミ部に貯湯タンク１０の上下方向の高さより横方向の長さが長くなるように横置き状態で設置する。
【００４５】
そして、貯湯タンク１０の入水部１１に水道水の一次側に至る配管を接続すると共に、出湯部１２に蛇口と連結された混合バルブの一方に至る配管を接続する。なお、図１５に示す従来型の横置き式貯湯式電気温水器ではヒータ９３０を貯湯タンク９１０の外部に設けて、貯湯タンク９１０とヒータの間で循環ポンプ９５１を介して湯を循環させることが必要となるが、本実施形態による貯湯式電気温水器１は、従来型の横置き式貯湯式電気温水器と異なり、貯湯タンク１０の外部にヒータや循環ポンプ、循環パイプを設けた構成をとっていないので、全体的に小型となり、上述のような場所に横置き状態で設置しても省スペースを十分に保つことができる。
【００４６】
次いで、蛇口を開くことで入水部１１を介して水道水からの水を貯湯タンク１０に流入させ、貯湯タンク内全体を水で満たす。次に電源を入れて、ヒータ制御回路を介して貯湯タンク内のヒータ４０を作動させる。
【００４７】
そして、貯湯式電気温水器１の貯湯タンク内に満たされた水がヒータ４０によって上述したように約８５℃まで加熱されて沸き上げられる。その後、使用者が蛇口を開くと水圧により水道水の一次側配管から入水部１１を介して貯湯タンク内に水が供給される。これにより、この供給された分だけ貯湯式電気温水器１の出湯部１２からこの沸き上がった湯が押し出され、混合栓を介して水と混合されて適当な温度の温水として蛇口から使用者に供給されると共に、この供給された分だけ水道水の一次側配管から入水部１１を介して貯湯タンク内に水が供給される。
【００４８】
この際、入水誘導管１３が上述したように配置されることで、入水部１１から入った水が入水誘導管１３から貯湯タンクの空間Ａの上方に向かって流出する。
【００４９】
このように入水部１１から貯湯タンク１０に入った水が入水誘導管１３によって押し出し管２０の上部に誘導されることで、湯と水の密度差に基づく重力の作用による水の下方への落下速度と入水誘導管１３による水の上方への流出速度とのバランスが保たれ、従来のように水が貯湯タンク内に入った直後に湯と水の密度差によって落ち込んでそのまま押し出し管２０の下側の円筒体２４，２６に流入してしまうのを防止する。その結果、入水部１１から貯湯タンク内に入った水が押し出し管２０の下側円筒体２１で形成される流路、上側円筒体２５で形成される流路、及び各円筒体間で形成される流路や各円筒体２１〜２６と貯湯タンク１０との隙間で形成される流路のそれぞれに互いの平均流速の差が小さくなるように水が流入し、これによって貯湯タンク内の湯が全体的に均一に押し出され、貯湯タンク内の湯の押し出し性が向上する。
【００５０】
なお、貯湯タンク内の湯が押し出された後には、貯湯タンクに備わった温度センサが貯湯タンク内の温度を検知し、所定温度以下になったことを検知すると、ヒータ制御回路を介して貯湯タンク内のヒータ４０を作動させ、再度沸き上げる。
【００５１】
即ち、本実施形態によると、押し出し管２０で構成される仕切り構造体の各流路に水をほぼ等速分配することができ、これによって押し出し管内の湯が貯湯タンク１０の上下方向に亘って同じ程度に押し出される。その結果、各流路断面積の比較的大きいハニカム体を設けた図１８に示す従来の横置き式電気温水器のように、下側の水が上側の水よりも先行して押し出されて出湯部から湯と水が混ざった状態で出湯する虞がない。
【００５２】
また、押し出し管２０の円筒体２１〜２６の流路断面積は、水や湯がこの円筒体２１〜２６を通過する際に生じる流路抵抗を最小限に抑えるのに十分な大きさを有しているが、入水誘導管１３により水が重力の作用によって下側円筒体内に主に流入するのを防止しているので、適度な量の水が各円筒体内に流入するようになる。その結果、貯湯タンク上下方向にわたって内径の大きい円筒体２１〜２６を押し出し管２０として収容できるので、貯湯タンク１０の良好な湯の押し出し性を確保することができる。また、貯湯式電気温水器を高地の住宅に設置した際に生じる一次側水道水の水圧低下による伴う湯の押し出し性の低下を防止する。
【００５３】
続いて、上述した実施形態に係る貯湯式電気温水器の各種変形例について説明する。なお、上述した実施形態と同等の構成については、対応する符号を付して詳細な説明を省略する。
【００５４】
最初に、上述の実施形態の第１変形例について説明する。この第１変形例は、図４及び図５に示すように、入水部１１１が貯湯タンク１１０の一方の端部上側に備わると共に、入水部１１１の貯湯タンク内部側に入水誘導部１１３が備っている。入水誘導部１１３は、図５に示すように、その上側部分１１３ａが入水部１１１の基端側１１１ａと一体化し、その下側部分１１３ｂが押し出し管側に向かって若干上向きになっている。具体的には、この入水誘導部１１３の下側部分１１３ｂの先端、即ち入水誘導部１１３の貯湯タンク内開口部１１３ｃにおける下端１１３ｄが、貯湯式電気温水器の設置状態で押し出し管１２０の最も上側に位置する円筒体１２１の内壁面下端１２１ｄ、即ち、この円筒体１２１で構成される流路下端と同じ高さになっている（図５中の破線で示す水平線Ｈ参照）。なお、その他の構成、即ち、貯湯タンク内に収容された押し出し管１２０を構成する各円筒体１２１〜１２４、及びヒータ１４０の構成は上述の実施形態と同様である。
【００５５】
貯湯タンク１１０のこのような位置に入水部１１１が備わると共に入水誘導部１１３が配置されることで、上述した実施形態と同等の効果、即ち入水部１１１から貯湯タンク１１０に入った水が入水誘導部１１３によって押し出し管１２０の上部に誘導されることで、湯と水の密度差に基づく重力の作用による水の下方への落下速度と入水誘導部１１３による水の上方への流出速度とのバランスが保たれ、従来のように水が貯湯タンク内に入った直後に湯と水の密度差に基づく重力の作用によって落ち込んでそのまま押し出し管１２０の下側の円筒体に流入してしまうのを防止する。その結果、入水部１１１から貯湯タンク内に入った水が押し出し管１２０の各流路にほぼ均等に流入し、これによって押し出し管１２０の各流路内の湯がほぼ等速度で押し出され、貯湯タンク１１０の湯の押し出し性が向上する。
【００５６】
続いて、貯湯式電気温水器の第２変形例について説明する。この第２変形例は、貯湯タンク内にヒータを内蔵した上述の実施形態と同等の基本的構成を有しているが、押し出し管２２０に工夫が施されている。具体的には、図６に示すように、押し出し管２２０の各円筒体（図６では一部の円筒体２２１〜２２３のみ図示）の端部開口部２２０ａ（２２１ａ〜２２３ａ）が、貯湯式電気温水器の設置状態で水平方向より下向きに開口すると共に、押し出し管２２０の各端部開口部２２０ａのうち、上側の端部開口部２２１ａ（２２２ａ）が下側の端部開口部２２２ａ（２２３ａ）よりも水平方向に（貯湯タンクの長手方向端部内壁側（図６中右側）に突出するようにこの押し出し管２２０が貯湯タンク内に収容されている。
【００５７】
貯湯タンク内にヒータが内蔵されると共に、押し出し管２２０がこのような構成を有することで、貯湯タンク内の湯の上昇流を押し出し管２２０の各円筒体内へ隈なく導くことができ、貯湯タンク内全体の水やぬるま湯を簡単な構造で効率良く沸き上げることができる。特に、このような開口部２２０ａの下方にヒータが配置されていると、ヒータによって温められた高温の湯の上昇流がちょうど図６中の矢印に示すように各開口部２２０ａに最短距離で入り込むので、その対流効果が大きくなる。
【００５８】
なお、この場合、押し出し管２２０のヒータ設置側の端部開口部２２０ａが水平方向より下向きに開口している構成と、押し出し管２２０の各端部開口部２２０ａのうち、上側の端部開口部２２１ａ（２２２ａ）が下側の端部開口部２２２ａ（２２３ａ）よりも貯湯式電気温水器の設置状態で水平方向に突出するようになった構成の双方を必ずしも満たす必要はなく、何れか一方の構成を満たせば貯湯タンク内の水や湯の沸き上げ性向上をそれなりに達成することができる。
【００５９】
また、この第２変形例の更なる変形例として、図７に示すような変形例が考えられる。この更なる変形例は、押し出し管２３０の各円筒体（図７では一部の円筒体２３１〜２３３のみ図示）の端部開口部２３０ａ（２３１ａ〜２３３ａ）に加えて各押し出し管２３０の突出した部分の下側に対流促進用開口部２３０ｂ（２３１ｂ〜２３３ｂ）が設けられている。そして、貯湯タンク内で自然対流により上昇した湯がこの対流促進用開口部２３０ｂを介して押し出し管内に流入するようになっている。
【００６０】
貯湯タンク内にヒータが内蔵されると共に、押し出し管２３０がこのような構造を有することで、貯湯タンク内の湯の上昇流を上述した第２変形例と同様に各仕切り管内へ積極的により隈なく導くことができ、貯湯タンク内全体の水やぬるま湯を簡単な構造でより効率良く沸き上げることができる。
【００６１】
続いて、上述した実施形態の第３変形例について説明する。この第３変形例は、貯湯式電気温水器の設置状態で本実施形態及びその変形例に関する貯湯タンクの配置状態に工夫を施した変形例であり、図８（ａ）に示すように、貯湯式電気温水器が被取付け対象物である例えばトイレルームのカウンタ下面やキッチンカウンタのケコミ部に取り付けられた状態で貯湯タンク３１０の出湯部３１２が入水部３１１よりも高く位置すると共に、貯湯タンク３１０の入水部近傍の下面３１０ａが出湯部近傍の下面３１０ｂよりも低く位置するようになっている。
【００６２】
いわゆる横置き式の貯湯式電気温水器の場合、全体が扁平型をなしているので、入水部３１１から入った水が貯湯タンク内の底面全体に拡がり易く、その結果、出湯部側にこの水が容易に達して出湯部３１２からの湯と混ざりあう虞があるが、貯湯タンク３１０がこのような構成を有することで、貯湯タンク内の水や湯が対流する時に比重の違いで貯湯タンク内上部に向かって常に上昇していく高温の湯のみを出湯部３１２に確実に導くことができ、貯湯タンク内の水やぬるま湯の押し出し性をより向上させる。
【００６３】
なお、本変形例では、図８（ａ）に示すように、貯湯タンク３１０の出湯部側端部が入水部側端部より高くなるように全体的に傾いた状態で貯湯タンク３１０が設置されているが、貯湯タンク３１０をこのように傾けて設置することを必ずしも必要としない。具体的には、図８（ｂ）に示すように、貯湯タンク自体は傾いていないが、貯湯タンク３２０の入水部３２１の近傍の下面３２０ａが出湯部３２２の近傍の下面３２０ｂよりも低くなるように、貯湯タンク３２０の下面のみが入水部側に向かうに従って下方に向かうテーパ面をなしていても良い。また、この場合、貯湯タンク３２０の下面全体がテーパ面をなす代わりに緩やかな段差をなして入水部近傍の下面が出湯部近傍の下面より低くなっていても良い。
【００６４】
続いて、上述した実施形態の第４変形例及び第５変形例について説明する。この第４変形例及び第５変形例は、貯湯式電気温水器がその筐体内に単一の貯湯タンクを収容するのではなく、複数の貯湯タンクを収容した形態の変形例である。そして、第４変形例は、貯湯式電気温水器の設置状態で貯湯タンク４１０，４２０，４３０を図９に示すように水平方向に並列に配置した状態で連結パイプ４０１，４０２，４１１，４２１，４３１を介して互いに並列に連結した構成を有している。同じく上述した実施形態の第５変形例は、貯湯式電気温水器の設置状態で貯湯タンク５１０，５２０，５３０を図１０に示すように鉛直方向に並列に配置した状態で連結パイプ５０１，５０２，５１１，５２１，５３１を介して互いに並列に連結した構成を有している。
【００６５】
貯湯タンク４１０，５１０をこのように複数設けてこれらを互いに連結することで、貯湯式電気温水器の貯湯容量を増やしながら貯湯式電気温水器の全体形状の自由度を高めることができ、トイレルームの下面やキッチンカウンタのケコミ部などの限られた設置スペースを有効活用しながら貯湯容量のより大きい貯湯式電気温水器を所望のスペースに設置できる。
【００６６】
なお、これら第４変形例及び第５変形例とは異なり、複数の貯湯タンクをこのように配置した後、連結パイプを介して互いに直列に連結した状態で筐体内に収容した貯湯式電気温水器の構成としても同様の効果を発揮し得る。即ち、図１１に示すように、貯湯タンク５１０，５２０，５３０をそれぞれ連結パイプ５０３，５０４，５０５，５０６で直列に連結した場合、上述のように各貯湯タンクを連結パイプで並列に連結した場合に較べて各貯湯タンク内に流入する水の平均流速が速くなるため、押し出し中に湯水が混ざり難くなり、押し出し性が向上する。
【００６７】
続いて、上述した実施形態の第６変形例について説明する。この更なる変形例は、図１２に示すように、押し出し管６２０を構成する各筒体６２１〜６２５の断面形状を円形とする代わりに正六角形とした変形例である。貯湯タンク６１０に収容される押し出し管の各筒体がこのような形状を有することでも、各円筒体同士の間隔や各筒体６２１〜６２６と貯湯タンク内周面との間隔を狭くでき、その結果、これらの隙間に形成された流路の断面積をより小さくできる。貯湯タンク６１０の湯の押し出し性を向上させることができる。その結果、これらの押し出し対流用空間を介しての貯湯タンク内の水や湯の対流速度が増す効果があり、これを利用して貯湯式電気温水器の良好な沸き上げ性を維持しつつ、貯湯タンク６１０の湯の押し出し性を更に向上させることができる。
【００６８】
なお、押し出し管を構成する各筒体の断面形状をこの変形例のように正六角形とする代わりにそれぞれの筒体の断面形状を三角形、四角形、及び正六角形以外の多角形の何れかとしても良い。また、各筒体の断面形状を全て同じ形状にする代わりに各筒体の断面形状が三角形、四角形、多角形の少なくとも２つ以上の断面の組み合わせからなるように異なる断面形状の筒体を組み合わせても良い。
【００６９】
このような組み合わせの筒体からなる押し出し管を様々な外形形状を有する貯湯タンクに適宜収容することで、貯湯タンクの湯の押し出し性と水や湯の沸き上げ性を損なうことなく貯湯タンクの小型化を図ることができ、ひいては貯湯式電気温水器の小型化を達成することが可能となる。
【００７０】
続いて、上述した実施形態の第７変形例について説明する。この第７変形例は、図１３に示すように、上述した実施形態にかかる押し出し管２０（円筒体２１〜２６）よりも内径及び外径の大きい押し出し管７２０（７２１〜７２４）を貯湯タンク７１０内に備えると共に、押し出し管７２０の内部を仕切り板７２０ａ（７２１ａ〜７２４ａ）で仕切って複数の流路（本変形例では各円筒体内を４つの流路）に分割するようになっている。また、押し出し管７２０の外周部には上述した第６変形例と同等の切欠き（図示せず）が形成されると共に、各仕切り板７２０ａ（７２１ａ〜７２４ａ）にも矩形状の連通開口部（図示せず）が形成されている。
【００７１】
このように各押し出し管７２０の内部を仕切り板７２０ａで更に複数の流路に分割することで、上述の実施形態と同様の作用を発揮することに加えて、貯湯タンク７１０内に収容する押し出し管の総本数を減らしながら多数の流路を貯湯タンク７１０内に形成することができ、これにより貯湯タンク７１０の組み付け工数の低減を図ることが可能となる。
【００７２】
また、上述した実施形態の第８変形例について説明する。この第８変形例は、図１４に示すように、貯湯タンク内に設けた押し出し管を構成する各円筒体の代わりに、周面長手方向一部に亘って切欠き８５０ａ（８５１ａ〜８５６ａ）を備えた複数の円筒体８５１〜８５６からなる押し出し管８５０を貯湯タンク１１０の内部に収容している。なお、各円筒体８５１〜８５６は隣接する円筒体同士がそれぞれ周方向に接するように例えば溶接等で固定され、かつ外側の円筒体８５１，８５２，８５４〜８５６が貯湯タンクの内周壁に接するように例えば溶接等で固定されて貯湯タンク内に収容されているのが良い。これによって、各円筒体がそれぞれ断面積の小さい狭い通路を形成すると共に、貯湯タンクの内周壁と各円筒体との間の隙間も流路としての役目を果たすようになる。なお、各円筒体に形成された切欠きは、長手方向の適当な場所に適当な長さに亘って部分的に形成されていれば良い。
【００７３】
貯湯タンク内の各円筒体８５１〜８５６にこのような切欠き８５０ａが形成されることで、各円筒体内から切欠き８５０ａを介してその周囲の各円筒体同士の隙間や円筒体８５１〜８５６と貯湯タンク内周壁との隙間に形成される押し出し対流用空間から切り欠き８５０ａ（８５１ａ〜８５６ａ）を介して各円筒体内の流路にヒータ１３０で温められた湯が流入すると共に、各円筒体内の流路の水や温度の比較的低いぬるま湯が切欠き８５０ａ（８５１ａ〜８５６ａ）を介して各円筒体同士の隙間や円筒体８５１〜８５６と貯湯タンク内周壁との隙間に形成される押し出し対流用空間に流出する。
【００７４】
これによって、貯湯式電気温水器の沸き上げ中に貯湯タンク内の水や湯の重力の作用方向で見て上下方向の対流をこの円筒体同士や円筒体と貯湯タンク内周壁との隙間の間で積極的に生じさせる。即ち、貯湯タンクにヒータを内蔵したタイプの貯湯式電気温水器において、貯湯タンク内の図１に示す対流用空間Ａ，Ｂのみならず、これに加えて一方の対流用空間Ａ（Ｂ）から上下の押し出し管８５０を介して他方の対流用空間Ｂ（Ａ）に至る貯湯タンク内周壁近傍に沿った大きな迂回経路、並びに各押し出し管８５０の適所に形成された切欠き８５０ａを介して貯湯タンク内の水又は湯がタンク内で全体的に対流するようになっている。
【００７５】
なお、押し出し管の各円筒体に切欠きを設ける代わりに長孔等の形状を有する連通開口部を各円筒体に設けても良い。また、押し出し管の一部の円筒体にこのような切欠きや長孔を設けても良い。
【００７６】
また、各流路の離間した位置に少なくとも２つの切欠きを設けた方がそれぞれの入口側連通開口部と出口側連通開口部としての役目を果たすようになり、貯湯タンク内の水や湯の対流をより促進をさせることができる。
【００７７】
また、このような切欠きを各円筒体の全長に亘って形成しても良い。この場合、各円筒体の切欠きが形成されていない周面同士で接していたり、切欠きが形成されていない周面と貯湯タンク内周面に接していたりすれば、特別な支持体でこれらの円筒体を支持する必要がない。
【００７８】
切欠きを各円筒体に全長に亘って形成した場合、各切欠きを介してその円筒体内外の水や湯が連通するようになる。そのため、各円筒体の長手方向の一部に切欠きを形成した場合に較べて貯湯タンク内の湯の押し出し性は若干低下するが、貯湯タンク内の水や湯の対流効果に関してはかなり高めることができる。
【００７９】
また、ヒータは上述の実施形態及びその各種変形例に示したような細長い円柱状のヒータであることに限定されず、例えば発熱体であるニクロム線を防水性と耐熱性に優れた樹脂で完全に囲繞しかつその外側を金属でできたシース（鞘管）で覆ったいわゆるシースヒータを用いて、これを貯湯タンクの一方の端部から挿入して他方の端部近傍でＵ字状に折り曲げて再び一方の端部から外部に導出するようにしても良い。
【００８０】
また、ヒータは必ずしも貯湯タンクの内部に設ける必要はなく、例えば板状ヒータを貯湯タンクの外側に直接当接させて貯湯タンク外壁を介して貯湯タンク内の水や湯を熱伝導可能なように設けても良い。この場合、貯湯タンク内のいわゆる死に水の容積をなくすために貯湯式電気温水器の設置状態で貯湯タンクの底面にヒータを設けるのが良い。
【００８１】
また、上述した実施形態及びその各種変形例において貯湯タンクは全て両端部が閉塞した円筒形状を有していた。貯湯タンクが円筒形状を有することで耐圧性を高めることができるが、貯湯タンクはこのような形状に限定されるものでなく、例えば直方体形状で貯湯タンクを構成しても構わない。このように例えば直方体形状で貯湯タンクを構成することで、一般的に箱型形状を有する筐体内に貯湯タンクを収容した場合、筐体の内部にデッドスペースを生じさせることなく貯湯タンクを収容することができ、貯湯式電気温水器全体の小型化を図りつつその貯湯容量を高めることができる。
【００８２】
以上説明したように、本発明にかかる貯湯式電気温水器は、入水部から貯湯タンクに入った水の流れを入水誘導機構によって仕切り構造体の上部に誘導して衝突させるようになっているので、従来のように貯湯タンク内に入った水がその直後に湯と水の密度差によって重力の作用を受けて貯湯タンク下方に落ち込んでそのまま下側の仕切り構造体に流入するのを防止する。即ち、入水部から貯湯タンク内に入った水が、湯と水の密度差による下方への落下と入水誘導機構による上方への流出とのバランスがとれて仕切り構造体の各流路にほぼ均等に流入するようになり、これによって仕切り構造体の各流路内の湯がほぼ等速度で押し出され、貯湯タンクの湯の押し出し性が向上する。
【００８３】
また、入水誘導機構の水流出部下端又は当該下端を含む当該入水誘導機構による水の誘導方向延長線と前記仕切り構造体の入水部側端面との交点が、仕切り構造体によって形成された各流路のうち、最上部の流路の下端と一致するかこれよりも上に位置することで、通常の貯湯式電気温水器では最も入水し難い仕切り構造体の最上部の流路を狙って入水部から貯湯タンクに入った水を確実に流入させる。これによって、仕切り構造体の各流路に流入する水の平均流速差が小さくなり、貯湯タンク内全体に亘ってほぼ等速度で湯を押し出すことができ、貯湯タンクの湯の押し出し性が更に向上する。
【００８４】
また、貯湯式電気温水器を設置した状態で入水部が貯湯タンクの外壁部の高さ方向で見て半分より上側にあることで、貯湯タンクの外壁部の半分より上側に設けた入水部を介して水を貯湯タンク内に流入させることによって、通常では貯湯タンク内で湯と水の密度差によって重力の作用を受けてすぐに水が落ち込んで仕切り構造体の上側流路に水が入り難くなっていたのをこの上側流路に積極的に入水し易くし、結果的に仕切り構造体の各流路に水を上下に亘ってほぼ均等分配する。
【００８５】
また、仕切り構造体がハニカム形状を有することで、仕切り構造体を押し出し成型により容易に作れると共に、貯湯タンク内全体の組み立ても簡単に行うことができる。
【００８６】
また、仕切り構造体が、複数の流路を並設する複数のパイプ体からなることで、仕切り構造体の材料が入手し易く部品コストを低減できる。
【００８７】
また、このように離間したパイプを用いることで、この隙間を介して貯湯タンク内で水や湯が対流し易く湯の沸き上げ性が良くなる。
【００８８】
また、仕切り構造体の少なくとも何れか一つの流路の少なくとも一部に切り欠きが設けられ、当該切り欠きを介して仕切り構造体の当該切欠きを挟んだ隣接する少なくとも２つの流路が互いに連通していることで、仕切り構造体で構成される各流路のうち、このような切欠きを有する少なくとも一部の流路間で上下方向の対流を生じさせることができ、ヒータを貯湯タンクに内蔵した貯湯式電気温水器における貯湯タンク内の水やぬるま湯の沸き上げ性を向上させる。
【図面の簡単な説明】
【００８９】
【図１】本発明の一実施形態に係る貯湯式電気温水器の貯湯タンクをその内部構造と共に概略的に示す断面図である。
【図２】図１に示した貯湯タンクを押し出し管を含む位置においてタンク中心軸線と垂直に切断した状態を示す概略断面図である。
【図３】図１に示した貯湯タンクの入水部側近傍を拡大して示す断面図である。
【図４】図１に示した貯湯タンクの第１変形例を図１に対応して示す概略断面図である。
【図５】図４に示した貯湯タンクの入水部側近傍を拡大して示す断面図である。
【図６】図１に示した貯湯タンクの第２変形例をその作用と共に部分的に示す概略側面図である。
【図７】図６に示した貯湯タンクの第２変形例の更なる変形例をその作用と共に部分的に示す概略側面図である。
【図８】図１に示した貯湯タンクの第３変形例を図１に対応して示す概略側面図（図８（ａ））及びこの第３変形例の更なる変形例を示す概略側面図（図８（ｂ））である。
【図９】図１に示した貯湯タンクの第４変形例を示す概略斜視図である。
【図１０】図１に示した貯湯タンクの第５変形例を示す概略斜視図である。
【図１１】図１０に示した貯湯タンクの更なる変形例を示す概略斜視図である。
【図１２】図１に示した貯湯タンクの第６変形例を図２に対応して示す概略断面図である。
【図１３】図１に示した貯湯タンクの第７変形例を示す概略斜視図である。
【図１４】図１に示した貯湯タンクの第８変形例を示す概略斜視図である。
【図１５】図１７に関連した従来の貯湯式電気温水器の構造を概略的に示す全体構成図である。
【図１６】横置き式貯湯式電気温水器の設置状態の一例を概略的に示す説明図である。
【図１７】従来の貯湯式電気温水器に備わる貯湯タンクの構造の一例を図１に対応して示す概略断面図である。
【図１８】図１７に関連した従来の貯湯式電気温水器の構造をタンク内の水の流れと共に示す全体構成図である。
【符号の説明】
【００９０】
１    貯湯式電気温水器
１０    貯湯タンク
１１    入水部
１２    出湯部
１３    入水誘導管
１３a    水流出開口部
１３ｂ    下端
２０    押し出し管（仕切り構造体）
２１〜２６    円筒体
２１ｂ    流路下端
３１，３２    支持体
４０    ヒータ
５０    貯湯タンク
５１    ハニカム体
５１ａ    入口側開口部
５２    入水部
５３    出湯部
６０    ハニカム体
６１    流路
１１０    貯湯タンク
１１１    入水部
１１１ａ    基端側
１１３    入水誘導部
１１３ａ    上側部分
１１３ｂ    下側部分
１１３ｃ    貯湯タンク内開口部
１１３ｄ    下端
１２０    押し出し管
１２１〜１２４    円筒体
１２１ｄ    内壁面下端
１４０    ヒータ
２２０    押し出し管
２２１〜２２３    円筒体
２２０ａ    端部開口部
２２１ａ，２２２ａ，２２３ａ    端部開口部
２３０    押し出し管
２３１〜２３３    円筒体
２３０ａ（２３１ａ〜２３３ａ）    端部開口部
２３０ｂ（２３１ｂ〜２３３ｂ）    対流促進用開口部
３１０    貯湯タンク
３１０ａ，３１０ｂ    下面
３１１    入水部
３１２    出湯部
３２０    貯湯タンク
３２０ａ，３２０ｂ    下面
３２１    入水部
３２２    出湯部
４１０，４２０，４３０    貯湯タンク
４０１，４０２，４１１，４２１，４３１    連結パイプ
５１０，５２０，５３０    貯湯タンク
５０１〜５０６，５１１，５２１，５３１    連結パイプ
６１０    貯湯タンク
６２０    押し出し管
６２１〜６２６    円筒体
７１０    貯湯タンク
７２０    押し出し管
７２０ａ    仕切り板
７２１〜７２４    押し出し管
７２１ａ〜７２４ａ    仕切り板
８５０    押し出し管
８５０ａ    切欠き
８５１〜８５６    円筒体
８５１ａ〜８５６ａ    切欠き
９１０    貯湯タンク
９３０    ヒータ
９５１    循環ポンプ
９５２，９５３    循環パイプ
Ａ，Ｂ，Ｘ      空間
【図１】
2008121945.tif 000003
【図２】
2008121945.tif 000004
【図３】
2008121945.tif 000005
【図４】
2008121945.tif 000006
【図５】
2008121945.tif 000007
【図６】
2008121945.tif 000008
【図７】
2008121945.tif 000009
【図８】
2008121945.tif 000010
【図９】
2008121945.tif 000011
【図１０】
2008121945.tif 000012
【図１１】
2008121945.tif 000013
【図１２】
2008121945.tif 000014
【図１３】
2008121945.tif 000015
【図１４】
2008121945.tif 000016
【図１５】
2008121945.tif 000017
【図１６】
2008121945.tif 000018
【図１７】
2008121945.tif 000019
【図１８】
2008121945.tif 000020